(57)【要約】【課題】人が操作しなくても、カメラ装置で撮像された画像から来訪者の顔の位置を拡大した画像を確実且つ自動的に録画再生装置で録画可能とする。【解決手段】カメラ装置たるドアホン子器２０が動作したとき、カメラ部２４で撮像された画像に対して画像処理手段たる映像処理部２５が画像処理を行うことにより当該画像における来訪者の顔の位置を検出するとともに検出された顔の位置を拡大した画像を録画再生装置たるインターホン親機１に伝送して録画する。すなわち、人が操作しなくても、ドアホン子器２０で撮像された画像から来訪者の顔の位置を拡大した画像を確実且つ自動的にインターホン親機１で録画することができる。【選択図】        図１
2006157179.tif 000002
【特許請求の範囲】
【請求項１】
来訪者を撮像する撮像手段を備えて屋外に設置されるカメラ装置と、屋内に設置されてカメラ装置の撮像手段で撮像された画像を録画するとともに録画した画像を再生する録画再生装置とで構成される画像録画再生システムにおいて、録画再生装置は、画像を記憶する画像記憶手段と、画像を表示する表示手段と、画像記憶手段に記憶されている画像を読み出して表示手段に表示させる画像制御手段とを備え、カメラ装置又は録画再生装置の何れか一方に、撮像手段で撮像された画像に対して画像処理を行うことにより当該画像における来訪者の顔の位置を検出するとともに検出された顔の位置の画像を拡大する画像処理手段と、来訪者の来訪を検知して撮像手段を動作させる撮像制御手段とを備え、撮像制御手段が撮像手段を動作させたときに画像処理手段が動作して来訪者の顔の位置を拡大した画像が録画再生装置の画像記憶手段に記憶されることを特徴とする画像録画再生システム。
【請求項２】
前記画像処理手段をカメラ装置に備えたことを特徴とする請求項１記載の画像録画再生システム。
【請求項３】
前記画像処理手段は、予め顔検出用テンプレート画像を記憶している顔検出用テンプレート画像記憶手段と、カメラ装置の撮像手段で撮像した撮像画像及び顔検出用テンプレート画像記憶手段で記憶している顔検出用テンプレート画像の濃度勾配方向画像をそれぞれ抽出する濃度勾配方向抽出手段と、濃度勾配方向抽出手段で抽出した各濃度勾配方向画像を記憶する濃度勾配方向画像記憶手段と、濃度勾配方向画像記憶手段に記憶された顔検出用テンプレート画像の濃度勾配方向画像上の基準点と参照とする各座標点との距離及び基準点と座標点とを結ぶ線が座標点を通る水平軸と交差する角度の情報を抽出する形状特徴抽出手段と、形状特徴抽出手段で抽出した距離、角度の情報を顔検出用テンプレート画像の濃度勾配方向の値毎に分類して記憶する形状特徴記憶手段と、濃度勾配方向画像記憶手段に記憶されている撮像画像の濃度勾配方向画像の参照とする各座標点における濃度勾配方向の値、及び形状特徴記憶手段に記憶された形状特徴に基づいて、撮像画像の濃度勾配方向画像における基準点候補点に投票処理を行う投票手段と、投票手段によって求めた投票結果に基づいて、顔の位置を検出する顔検出手段とから成ることを特徴とする請求項１又は２記載の画像録画再生システム。
【請求項４】
前記顔検出手段には、顔検出用テンプレート画像の大きさを変化させ、この大きさ変化に対応した投票値の変化に基づいて、顔の大きさを抽出する顔サイズ検出手段を備えていることを特徴とする請求項３記載の画像録画再生システム。
【請求項５】
前記顔検出手段には、形状特徴における距離情報を変化させて、その距離情報の変化に応じた投票値の変化に基づいて、顔の大きさを検出する顔サイズ検出手段を備えていることを特徴とする請求項３記載の画像録画再生システム。
【請求項６】
前記顔検出手段には、顔検出用テンプレート画像の回転角を変化させて、この回転角の変化に対応した投票値の変化に基づいて、顔の回転角を抽出する顔回転角抽出手段を備えていることを特徴とする請求項３乃至５の何れか記載の画像録画再生システム。
【請求項７】
前記顔検出手段には、形状特徴における角度情報を変化させて、この角度情報の変化に応じた投票値の変化に基づいて、顔の回転角を抽出する顔回転角抽出手段を備えていることを特徴とする請求項３乃至５の何れか記載の画像録画再生システム。
【発明の詳細な説明】
【技術分野】
【０００１】
本発明は、屋外に設置されたカメラ装置で撮像した来訪者の画像を屋内に設置された録画再生装置で録画・再生する画像録画再生システムに関するものである。
【背景技術】
【０００２】
この種の画像録画再生システムとして、図１３に示すように屋外の玄関に設置されたカメラ付きのドアホン子器６０と、屋内に設置されてドアホン子器６０との間で通話が可能であり、さらにドアホン子器６０のカメラで撮像された画像を液晶ディスプレイなどの表示デバイスに表示させるとともに録画するインターホン親機５０とで構成されるインターホンシステムが提供されている（特許文献１参照）。すなわち、来訪者がドアホン子器６０の呼出釦６１を押操作すると呼出信号がインターホン親機５０に伝送され、この呼出信号を受けたインターホン親機５０では呼出音を鳴動させるとともにドアホン子器６０のカメラを起動して来訪者を撮像させ、この撮像画像を表示デバイスの画面５１に表示させる。そして、インターホン親機５０の通話釦５２が押操作されるとドアホン子器６０との間に通話路が形成され、表示デバイスの画面で相手の姿を視ながら来訪者と通話することができ、さらに、インターホン親機５０においては通話中の来訪者を撮像した画像を録画することができる。
【０００３】
ここで、ドアホン子器６０のカメラには、確実に来訪者の姿が撮像できるように比較的に焦点距離が短いレンズが用いられているため、表示デバイスの画面に表示される来訪者の顔が小さくなってしまう傾向にある。そのため、特許文献１に記載されている従来例においては、表示デバイスの画面上で選択した範囲Ｓを画面全体に拡大して表示する機能をインターホン親機５０に備えており、十字キー釦５３を操作して選択範囲を画面上で移動させて来訪者の顔を選択範囲内に収めた後、ズーム釦５４を操作することで選択範囲を画面全体に拡大して表示及び録画することができるようになっている。
【０００４】
また、この種のインターホンシステムには、ドアホン子器６０からの呼出信号を検出したインターホン親機５０がドアホン子器６０のカメラで撮像した画像を自動的に録画する機能（留守録機能）を有するものがあり、留守録時においては人が十字キー釦５３を操作して選択範囲を移動させることができないため、例えば、来訪者の顔の位置に対応する確率が高いと予想される画面中央を自動的に拡大して録画するようになっていた。
【特許文献１】特開平５−２３６４７８号公報
【発明の開示】
【発明が解決しようとする課題】
【０００５】
しかしながら、来訪者の顔の位置が必ずしも画面中央に一致するとは限らず、顔の位置と一致しない画面中央の拡大画像が録画された場合、元の画像に比べて来訪者の映る範囲が狭くなり、かえって来訪者の顔が判別できなくなる虞がある。
【０００６】
本発明は上記事情に鑑みて為されたものであり、その目的は、人が操作しなくても、カメラ装置で撮像された画像から来訪者の顔の位置を拡大した画像を確実且つ自動的に録画再生装置で録画することができる画像録画再生システムを提供することにある。
【課題を解決するための手段】
【０００７】
請求項１の発明は、上記目的を達成するために、来訪者を撮像する撮像手段を備えて屋外に設置されるカメラ装置と、屋内に設置されてカメラ装置の撮像手段で撮像された画像を録画するとともに録画した画像を再生する録画再生装置とで構成される画像録画再生システムにおいて、録画再生装置は、画像を記憶する画像記憶手段と、画像を表示する表示手段と、画像記憶手段に記憶されている画像を読み出して表示手段に表示させる画像制御手段とを備え、カメラ装置又は録画再生装置の何れか一方に、撮像手段で撮像された画像に対して画像処理を行うことにより当該画像における来訪者の顔の位置を検出するとともに検出された顔の位置の画像を拡大する画像処理手段と、来訪者の来訪を検知して撮像手段を動作させる撮像制御手段とを備え、撮像制御手段が撮像手段を動作させたときに画像処理手段が動作して来訪者の顔の位置を拡大した画像が録画再生装置の画像記憶手段に記憶されることを特徴とする。
【０００８】
この発明によれば、撮像制御手段が撮像手段を動作させたとき、撮像手段で撮像された画像に対して画像処理手段が画像処理を行うことにより当該画像における来訪者の顔の位置を検出し、画像処理手段が撮像手段で撮像された画像の中から検出された顔の位置を拡大した画像を録画再生装置の画像記憶手段に記憶させるため、人が操作しなくても、カメラ装置で撮像された画像から来訪者の顔の位置を拡大した画像を確実且つ自動的に録画再生装置で録画することができる。
【０００９】
請求項２の発明は、請求項１の発明において、前記画像処理手段をカメラ装置に備えたことを特徴とする。
【００１０】
請求項３の発明は、請求項１又は２の発明において、前記画像処理手段は、予め顔検出用テンプレート画像を記憶している顔検出用テンプレート画像記憶手段と、カメラ装置の撮像手段で撮像した撮像画像及び顔検出用テンプレート画像記憶手段で記憶している顔検出用テンプレート画像の濃度勾配方向画像をそれぞれ抽出する濃度勾配方向抽出手段と、濃度勾配方向抽出手段で抽出した各濃度勾配方向画像を記憶する濃度勾配方向画像記憶手段と、濃度勾配方向画像記憶手段に記憶された顔検出用テンプレート画像の濃度勾配方向画像上の基準点と参照とする各座標点との距離及び基準点と座標点とを結ぶ線が座標点を通る水平軸と交差する角度の情報を抽出する形状特徴抽出手段と、形状特徴抽出手段で抽出した距離、角度の情報を顔検出用テンプレート画像の濃度勾配方向の値毎に分類して記憶する形状特徴記憶手段と、濃度勾配方向画像記憶手段に記憶されている撮像画像の濃度勾配方向画像の参照とする各座標点における濃度勾配方向の値、及び形状特徴記憶手段に記憶された形状特徴に基づいて、撮像画像の濃度勾配方向画像における基準点候補点に投票処理を行う投票手段と、投票手段によって求めた投票結果に基づいて、顔の位置を検出する顔検出手段とから成ることを特徴とする。
【００１１】
この発明によれば、体と顔検出用テンプレート画像のサイズが一致することがあっても、それぞれの濃度勾配方向の値が異なるるために、体の位置に投票が集中しにくく、体を誤検出することはなく、また濃度勾配方向画像を用いることにより照明の変動に強い画像処理手段を実現できる。
【００１２】
請求項４の発明は、請求項３の発明において、前記顔検出手段には、顔検出用テンプレート画像の大きさを変化させ、この大きさ変化に対応した投票値の変化に基づいて、顔の大きさを抽出する顔サイズ検出手段を備えていることを特徴とする。
この発明によれば、顔の大きさが一定でなくも顔を検出することができる。
【００１３】
請求項５の発明は、請求項４の発明において、前記顔検出手段には、形状特徴における距離情報を変化させて、その距離情報の変化に応じた投票値の変化に基づいて、顔の大きさを検出する顔サイズ検出手段を備えていることを特徴とする。
【００１４】
この発明によれば、顔の大きさが一定でなくも顔を検出することができる。
【００１５】
請求項６の発明は、請求項３乃至５の何れかの発明において、前記顔検出手段には、顔検出用テンプレート画像の回転角を変化させて、この回転角の変化に対応した投票値の変化に基づいて、顔の回転角を抽出する顔回転角抽出手段を備えていることを特徴とする。
【００１６】
この発明によれば、顔の回転角が一定でなくても顔を検出することができる。
【００１７】
請求項７の発明は、請求項３乃至５の何れかの発明において、前記顔検出手段には、形状特徴における角度情報を変化させて、この角度情報の変化に応じた投票値の変化に基づいて、顔の回転角を抽出する顔回転角抽出手段を備えていることを特徴とする。
【００１８】
この発明によれば、顔の回転角が一定でなくても顔を検出することができる。
【発明の効果】
【００１９】
請求項１の発明によれば、撮像制御手段が撮像手段を動作させたとき、撮像手段で撮像された画像に対して画像処理手段が画像処理を行うことにより当該画像における来訪者の顔の位置を検出し、画像処理手段が撮像手段で撮像された画像の中から検出された顔の位置を拡大した画像を録画再生装置の画像記憶手段に記憶させるため、人が操作しなくても、カメラ装置で撮像された画像から来訪者の顔の位置を拡大した画像を確実且つ自動的に録画再生装置で録画することができるという効果がある。
【発明を実施するための最良の形態】
【００２０】
（実施形態１）
以下、住戸外の玄関などに設置されるドアホン子器２０と、住戸内に設置されてドアホン子器２０との間で通話を行うインターホン親機（以下、「親機」と略す）１とで構成されるインターホンシステムに本発明を適用した実施形態について、図面を参照して詳細に説明する。ここで、ドアホン子器２０は２線式の通話線及び２線式の制御線からなる２対の信号線Ｌ１によって親機１と接続される。
【００２１】
図１及び図２は、本実施形態のシステム構成図並びにブロック図をそれぞれ示している。
【００２２】
カメラ装置に相当するドアホン子器２０は、親機１によって通話線に印加される電圧を受けて内部の動作電源を作成するとともに内部の通話経路と通話線との間を２線−４線変換する受電部２１と、マイクロホン及びスピーカを有する音声入出力部２２と、マイクロホンから入力する音声信号の増幅や親機１から通話線を介して送られてくる音声信号の増幅等を行う音声処理部２３と、ＣＣＤのような個体撮像素子とレンズなどの光学系を有して来訪者を撮像するカメラ部２４と、マイクロコンピュータを主構成要素とし、カメラ部２４から出力される映像信号に対して画像処理（後述する）を行うとともに画像処理された後の映像信号を周波数変調する映像処理部２５と、来訪者が呼出釦２８（図１参照）を押操作したときにオンするスイッチを有し該スイッチがオンしたときに通話線の線間電圧を変化させるなどして呼出信号を送出する操作部２６と、親機１との通話時などに制御線を介して給電されることにより表示素子（発光ダイオード）を点灯させる表示部２７とを備える。ここで、音声処理部２３から出力される音声信号（ベースバンド信号）に周波数変調された映像信号（以下、「ＦＭ映像信号」と呼ぶ）が受電部２１で多重化され、通話線を通して親機１に送られる。
【００２３】
録画再生装置に相当する親機１は、通話線に直流電圧を印加してドアホン子器２０への給電を行うとともに多重化されて伝送されてくる音声信号とＦＭ映像信号を分離する給電部２と、マイクロコンピュータを主構成要素とする親機制御部３と、マイクロホン及びスピーカを有する音声入出力部４と、音声入出力部４から入力する音声信号と給電部２で分離されたドアホン子器２０からの音声信号とを比較し、信号レベルが低い方の音声信号を減衰させることで通話方向（親機１→ドアホン子器２０又は親機１←ドアホン子器２０）を切り換える音声スイッチの機能を有した音声処理部５と、液晶ディスプレイ（ＬＣＤ）からなる表示部６と、ドアホン子器２０から送られてくるＦＭ映像信号を復調し表示部６に映像信号を出力して映像を表示させる映像処理部７と、通話釦１１（図１参照）の操作によりオンする通話スイッチやモニタ釦１２（図１参照）の操作によりオンするモニタスイッチを有し、各スイッチがオンしたときにそれぞれ対応する操作信号を親機制御部３に出力する親機操作部８と、ドアホン子器２０から送られてくるＦＭ映像信号を復調するとともにディジタル信号に変換して記憶（録画）する録画部９と、商用電源より各部の動作電源を作成する電源部１０とを備える。尚、録画部９においてはＦＭ映像信号を復調してディジタル信号に変換した後に記憶しているが、復調せずにディジタル信号に変換してもよいし、復調した後にアナログ信号のままで記憶するようにしても構わない。
【００２４】
また本実施形態では、ドアホン子器２０とは別のカメラ装置に相当するカメラ子器４０が信号線Ｌ２により親機１に接続されている。このカメラ子器４０は、親機１によって信号線Ｌ２に印加される電圧を受けて内部の動作電源を作成する受電部４１と、マイクロホンを有する音声入力部４２と、マイクロホンから入力する音声信号の増幅などを行う音声処理部４３と、ＣＣＤのような個体撮像素子とレンズなどの光学系を有して来訪者を撮像するカメラ部４４と、マイクロコンピュータを主構成要素とし、カメラ部４４から出力される映像信号に対して画像処理（後述する）を行うとともに画像処理された後の映像信号を周波数変調する映像処理部４５と、人体から放射される熱線を焦電素子で検出することにより来訪者の有無を感知する人感センサ部４６と、人感センサ部４６で来訪者を感知したときなどに表示素子（発光ダイオード）を点灯させる表示部４７とを備える。
【００２５】
次に親機１並びにドアホン子器２０、カメラ子器４０の基本的な動作を説明する。
【００２６】
まず、来訪者がドアホン子器２０の呼出釦２８を押操作すると操作部２６が受電部２１から通話線を介して親機１に呼出信号を送信し、さらに映像処理部２５とカメラ部２４が起動してカメラ部２４で撮像した来訪者の映像が受電部２１から通話線を介して親機１に伝送される。親機１では、呼出信号を検出した親機制御部３が音声処理部５を制御して音声入出力部４のスピーカらから呼出音を鳴動させるとともに、ドアホン子器２０から伝送されてきたＦＭ映像信号を映像処理部７で復調させて来訪者の映像を表示部６に表示させる。そして、家人が親機１の通話釦１１を押操作すると親機操作部８から操作信号が出力され、この操作信号を受けた親機制御部３が音声処理部５並びに音声入出力部４と通話線の間に通話路を形成してドアホン子器２０との通話が可能となる。また、モニタ釦１２が押操作されて親機操作部８から操作信号が出力されると、この操作信号を受けた親機制御部３が給電部２から通話線を介してドアホン子器２０への給電を行い、ドアホン子器２０のカメラ部２４及び映像処理部２５が起動してカメラ部２４で撮像した映像が親機１に送られるため、表示部６にドアホン子器２０のカメラ部２４で撮像した映像が映し出される。すなわち、ドアホン子器２０においては、操作部２６の呼出釦２８が押操作されることで来訪者の来訪を検知して撮像手段（カメラ部２４及び映像処理部２５）を動作させていることになり、操作部２６が撮像制御手段に相当する。
【００２７】
また、来訪者若しくは不審者が感知領域に入るとカメラ子器４０の人感センサ部４６が人の存在を感知して映像処理部２５とカメラ部２４が起動してカメラ部２４で撮像した来訪者の映像が受電部２１から通話線を介して親機１に伝送されるとともに、音声入力部４２と音声処理部４３が起動して音声入力部４２に入力された音声も受電部２１から通話線を介して親機１に伝送される。親機１では、親機制御部３が音声処理部５を制御してカメラ子器４０から伝送されてきた音声を音声入出力部４のスピーカらから出力させるとともに、カメラ子器４０から伝送されてきたＦＭ映像信号を映像処理部７で復調させて来訪者若しくは不審者の映像を表示部６に表示させる。すなわち、カメラ子器４０においては、人感センサ部４６で来訪者を検知して撮像手段（カメラ部４４及び映像処理部４５）を動作させていることになり、人感センサ部４６が撮像制御手段に相当する。尚、カメラ子器４０の音声入力部４２にスピーカを設け、親機１から伝送される音声をスピーカから出力することで不審者の威嚇等を行うようにしても構わない。
【００２８】
次に、本発明の要旨であるドアホン子器２０及びカメラ子器４０の映像処理部２５，４５における画像処理について説明する。但し、２つの映像処理部２５，４５で行う画像処理は全く共通であるから、以下ではドアホン子器２０の映像処理部２５についてのみ説明する。
【００２９】
映像処理部２５は、上述のように呼出釦２８の押操作によりカメラ部２４及び映像処理部２５が起動すると、カメラ部２４で撮像された画像における来訪者の顔の位置を検出する画像処理（以下、「顔位置検出処理」と呼ぶ）を行うとともに検出された顔の位置の画像を拡大する画像処理（以下、「ズーム処理」と呼ぶ）を行っている。
【００３０】
まず、顔位置検出処理について説明する。図３は映像処理部２５の顔位置検出処理を行う構成を示したブロック図であり、カメラ部２４からの撮像画像をＡ／Ｄ変換して取り込む画像入力手段２５１と、予め顔検出用テンプレートを記憶させている顔検出用テンプレート画像記憶手段２５２と、この顔検出用テンプレート画像記憶手段２５２に記憶されている図４（ａ）に示すような顔検出用テンプレート画像Ａ及び画像入力手段２５１が取り込んだ図５に示すような撮像画像Ｂの各濃度勾配方向画像Ａ’，Ｂ’（図４（ｂ）、図４（ａ）参照）を抽出する濃度勾配方向抽出手段２５３と、抽出した濃度勾配方向画像Ａ’，Ｂ’を記憶する濃度勾配方向画像記憶手段２５４と、濃度勾配方向画像記憶手段２５４に記憶されている顔検出用テンプレート画像Ａの濃度勾配方向画像Ａ’上の基準点Ｏと参照とする各座標点（以下参照点という）Ｒとの間の距離Ｌ、基準点Ｏと各参照点Ｒとを結ぶ線が参照点Ｒを通る水平軸（Ｘ軸）と交差する角度αの情報を抽出する形状特徴抽出手段２５５と、これら抽出された情報を顔検出用テンプレート画像Ａの濃度勾配方向の値θ毎に分離して記憶する形状特徴記憶手段２５６と、濃度勾配方向画像記憶手段２５４に記憶されている撮像画像Ｂの濃度勾配方向画像Ｂ’の各参照点Ｒ’における濃度勾配方向の値θ、及び形状特徴記憶手段２５６に記憶された形状特徴の情報に基づいて、濃度勾配方向画像Ｂ’における基準点候補点に投票処理を行う投票手段２５７と、この投票手段２５７によって求めた投票結果に基づいて、顔の位置を検出する顔検出手段２５８とで構成される。
各手段の動作を以下に説明する。
【００３１】
まず濃度勾配方向抽出手段２５３は、カメラ部２４で撮影し、画像入力手段２５１で入力した図５（ａ）に示す撮像画像Ｂ及び顔検出用テンプレート画像記憶手段２５２に記憶してある顔検出用テンプレート画像Ａからそれぞれの濃度勾配方向画像Ｂ’，Ａ’を抽出する。図４（ｂ）は顔検出用テンプレート画像Ａの濃度勾配方向画像Ａ’を、図６（ａ）は撮像画像Ｂの濃度勾配方向画像Ｂ’をそれぞれ示す。これらの濃度勾配方向画像Ａ’，Ｂ’の抽出に当たっては、図５に示すように３×３のｘ方向ソーベルフィルタ１２ｘ及びｙ方向ソーベルフィルタ１２ｙを入力濃淡画像に含まれる全ての画素に対して適用し、各画像における水平軸（Ｘ軸）方向の微分値ｄｘ及び垂直軸（Ｙ軸）方向の微分値ｄｙを（式１）、（式２）より求める。
【００３２】
ｄｘ＝（ｃ＋２ｆ＋ｉ）−（ａ＋２ｄ＋ｇ）…（式１）
ｄｙ＝（ｇ＋２ｈ＋ｉ）−（ａ＋２ｂ＋ｃ）…（式２）
（ａ〜ｈは、図７に示すように注目画素ｅ及びその注目画素ｅ近傍の８つの画素の値ａ〜ｄ、ｆ〜ｈを示すものである。）またこの時、微分の方向値θは、下記の（式３）で示される。
【００３３】
θ＝ｔａｎ-1（ｄｙ／ｄｘ）…（式３）
ここで、濃度勾配方向画像Ａ’，Ｂ’は前記濃度勾配方向値θを画素値に持つ画像であり、この画像を濃度勾配方向画像手段２５４に記憶する。
【００３４】
形状特徴抽出手段２５５は、まず濃度勾配方向画像記憶手段２５４に記憶されている顔検出用テンプレート画像Ａの濃度勾配方向画像Ｂにおいて重心を算出し、それを基準点Ｏとする。この図４（ｃ）に示す基準点Ｏと参照点Ｒとの距離Ｌ及び基準点Ｏと参照点Ｒとを結ぶ線と参照点Ｒを通る水平軸βとの間の角度αを算出し、濃度勾配方向γと線βとの間の角度、つまり濃度勾配方向値θ毎に顔検出用テンプレート画像Ａの特徴情報として形状特徴記憶手段２５６に記憶する。本実施形態で用いる顔検出用テンプレート画像Ａとしては、図４（ａ）に示すように平均的な人の顔の特徴部位（目、眉、鼻、口など）を含む形で作られたものを採用している。尚この顔検出用テンプレート画像Ａの形状特徴は予め形状特徴記憶手段２５６に記憶しておいても良い。
【００３５】
表１はこの形状特徴記憶手段２５６に記憶される形状特徴を示し、各参照点の濃度勾配方向値θ毎に、角度α、距離Ｌを記入した表形式となっている。
【００３６】
【表１】
2006157179.tif 000003
【００３７】
投票手段２５７は、濃度勾配方向画像記憶手段２５４に記憶されている図６（ａ）に示す撮像画像Ｂの濃度勾配方向画像Ｂ’の濃度勾配方向値θと、形状特徴記憶手段２５６に記憶されている顔検出用テンプレート画像Ａの形状特徴を用いて、下記の（式４）、（式５）より基準基準点候補点を求め、投票空間のその点に投票する。そして顔検出手段２５８は、図８（ａ）に示す投票結果から投票値のピークを検出して基準点Ｏ’（ｏ’ｘ，ｏ’ｙ）を決め、顔の位置を決定する。尚図８（ｂ）は図８（ａ）で示す区分範囲の投票値との関係を示す。
【００３８】
ｏｘ’＝Ｌ×ｃｏｓ（α）＋ｒ’ｘ  …（式４）
ｏｙ’＝Ｌ×ｃｏｓ（α）＋ｒ’ｙ  …（式５）
このように本実施形態の顔位置検出処理によれば、体と顔検出用テンプレート画像のサイズが一致することがあっても、それぞれの濃度勾配方向の値が異なるるために、体の位置に投票が集中しにくく、体を誤検出することはなく、また濃度勾配方向画像を用いることにより照明の変動に強い画像処理手段（映像処理部２５，４５）が実現できるという利点がある。
上述のようにして顔の位置が検出されれば、その顔位置を含む範囲の画像を元の撮像画像の大きさまで拡大する従来周知のズーム処理が行われ、ズーム処理された画像がＤ／Ａ変換されて映像処理部２５から受電部２１を介し通話線を通して親機１に伝送される。そして、親機１では、図９に示すように来訪者の顔を含む範囲Ｓが拡大された画像を表示部６に映し出すことができ、あるいは留守録時においては来訪者の顔の部分が拡大された画像が自動的に録画部９に録画されることになる。尚、本実施形態では、ドアホン子器２０及びカメラ子器４０が常に来訪者の顔の部分を拡大するようにしているが、例えば、親機１で留守録に設定されているとき、若しくは親機１の操作部８に設けられたズーム操作釦（図示せず）が押操作されたときに顔位置検出処理及びズーム処理が行われるようにしても構わない。
【００３９】
ところで、顔位置検出処理において、顔検出用テンプレート画像記憶手段２５２に記憶された顔検出用テンプレート画像Ａの代わりに、図１０（ａ）に示すように、顔の平均的な輪郭を含むように作られたテンプレート画像を用いてもよい。つまり顔の平均的な輪郭のテンプレート画像を用いているため、逆光時のように顔の特徴を示す目、眉、鼻、口等が正しく撮像されていない図１０（ｃ）に示すような撮像画像Ｂにおける顔の位置を正しく検出することができるのである。尚図１０（ｂ）は図１０（ａ）に示す顔検出用テンプレート画像Ａから濃度勾配方向抽出手段２５３により抽出された濃度勾配方向画像Ａ’を示す。
【００４０】
（実施形態２）
本実施形態は、ドアホン子器２０及びカメラ子器４０の映像処理部２５，４５における顔位置検出処理に特徴があり、それ以外の構成及び動作については実施形態１と共通であるから図示並びに説明を省略する。
【００４１】
映像処理部２５（映像処理部４５についても共通）の基本構成は図３に示す実施形態１の構成と同じであるので、図３を参照する。そして、本実施形態の映像処理部２５は、図１１（ａ）に示すように、顔検出手段２５８内に顔サイズ検出手段２５８ａを備えた点に特徴がある。
顔サイズ検出手段２５８ａは、顔検出用テンプレート画像のサイズを変更しながら、投票手段２５７によって投票を行うことによって、図１１（ｂ）に示すようにテンプレート画像サイズ毎に投票結果より投票値のビークが得られるため、その値が最大になるサイズを顔のサイズとして検出する手段である。
【００４２】
このように本実施形態では、顔の大きさが一定でなくも顔を検出することができるという利点がある。
（実施形態３）
本実施形態は、ドアホン子器２０及びカメラ子器４０の映像処理部２５，４５における顔位置検出処理に特徴があり、それ以外の構成及び動作については実施形態１と共通であるから図示並びに説明を省略する。
上記実施形態２では顔検出用テンプレート画像のサイズを変更させることで、顔サイズを検出するものであったが、本実施形態は上述した形状特徴における距離情報を変化させて顔サイズを検出する点に特徴がある。尚映像処理部２５（映像処理部４５についても共通）の基本構成は図３に示す実施形態１の構成と同じであるので、図３を参照し、また顔検出手段２５８内には実施形態２と同様に顔サイズ検出手段２５８ａ（図１１（ａ）参照）を設けてある。
【００４３】
而して本実施形態の顔サイズ検出手段２５８ａ（図１１（ａ））は、形状特徴における距離Ｌに対する倍率ｓを変えて距離情報を変化させて、投票手段２５７によって、濃度勾配方向画像記憶手段２５４に記憶されている図６（ａ）に示す撮像画像Ｂの濃度勾配方向画像Ｂ’の濃度勾配方向値θと、形状特徴記憶手段２５６に記憶されている顔検出用テンプレート画像Ａの形状特徴を用いて、下記の（式６）、（式７）により基準点候補点を求め、投票空間のその点に投票する。そして図１１（ｂ）に示すように顔サイズ毎に投票結果より投票値のピークが得られるため、その値が最大になるサイズを顔のサイズとして検出するのである。
【００４４】
ｏｘ’＝ｓ×Ｌ×ｃｏｓ（α）＋ｒ’ｘ  …（式６）
ｏｙ’＝ｓ×Ｌ×ｃｏｓ（α）＋ｒ’ｙ  …（式７）
ｓ：距離の倍率
（実施形態４）
本実施形態は、ドアホン子器２０及びカメラ子器４０の映像処理部２５，４５における顔位置検出処理に特徴があり、それ以外の構成及び動作については実施形態１と共通であるから図示並びに説明を省略する。また、映像処理部２５（映像処理部４５についても共通）の基本構成は図３に示す実施形態１の構成と同じであるので、図３を参照する。
【００４５】
そして、本実施形態における映像処理部２５（映像処理部４５も共通）は、図１２（ａ）に示すように、顔検出手段２５８内に顔サイズ検出手段２５８ａ（実施形態２、３の顔サイズ検出手段２５８ａの何れでもよい）を備えるとともに、顔回転角出手段２５８ｂを備えた点に特徴がある。
【００４６】
一方、顔回転角抽出手段２５８ｂは、図１２（ｂ）に示すような顔が傾いて撮像された撮像画像Ｂに対応させるためのもので、顔検出用テンプレート画像Ａを回転させながら、投票手段２５７によって投票を行うことによって、図１２（ｃ）に示すように、回転角毎に投票結果より投票値のピークが得られるため、その値が最大になる回転角を顔の回転角として抽出する手段である。
【００４７】
本実施形態では、顔の回転角が一定でなくても顔を検出することができるという利点がある。
（実施形態５）
上記実施形態４での顔回転角抽出手段２５８ｂは顔検出用テンプレート画像Ａを回転させるものであったが、本実施形態の顔回転角検出手段２５８ｂでは、上述した形状特徴における角度情報を変換させる点に特徴がある。尚本実施形態の画像処理装置の基本構成は図１に示す実施形態１の構成と同じであるので、図３を参照し、また実施形態４と同様に顔検出手段２５８内に、例えば実施形態３に用いた顔サイズ検出手段２５８ａとともに顔回転角出手段２５８ｂを備えている（図１２（ａ）参照）
而して本実施形態の顔回転角抽出手段２５８ｂは、上述した形状特徴における角度情報を変化させて、投票手段２５７によって、濃度勾配方向画像記憶手段２５４に記憶されている濃度勾配方向画像の濃度勾配方向値θ（回転角をφ、撮像画像Ｂの濃度勾配方向をθ’とすると、θ＝θ’−φとなる。）と、形状特徴記憶手段７に記憶されている顔検出用テンプレート画像Ａの形状特徴を用いて、下記の（式８）、（式９）より基準点候補点を求め、投票空間のその点に投票する。そして図１２（ｃ）に示すように、各回転角毎の投票結果より投票値のピークが得られるため、その値が最大になる回転角を顔の回転角として検出する。
【００４８】
ｏｘ’＝Ｌ×ｃｏｓ（α＋φ）＋ｒ’ｘ  …（式８）
ｏｙ’＝Ｌ×ｃｏｓ（α＋φ）＋ｒ’ｙ  …（式９）
φ：回転角（この回転角の値を変えることで角度情報を変化させる）
ところで、上記実施形態１〜５では顔位置検出処理及びズーム処理を行う画像処理手段をカメラ装置たるドアホン子器２０及びカメラ子器４０の映像処理部２５，４５で構成しているが、親機１の制御部３で画像処理手段を構成するようにしても構わない。また、ドアホン子器２０及びカメラ子器４０のカメラ部２４，４４及び映像処理部２５，４５を起動する撮像制御手段を親機１に備える構成としても構わない。
【図面の簡単な説明】
【００４９】
【図１】実施形態１のシステム構成図である。
【図２】同上のブロック図である。
【図３】同上におけるドアホン子器の映像処理部の回路構成図である。
【図４】同上における映像処理部の動作説明用の図であって、（ａ）は顔検出用テンプレート画像のイメージ図、（ｂ）は顔検出用テンプレート画像の濃淡勾配方向画像のイメージ図、（ｃ）は顔検出用テンプレート画像の形状特徴説明図である。
【図５】実施形態１乃至５における映像処理部の動作説明用の撮像イメージ図である。
【図６】同上における映像処理部の動作説明用の図であって、（ａ）は撮像画像の濃淡勾配方向画像のイメージ図、（ｂ）は撮像画像の形状特徴説明図である。
【図７】同上に用いるソーベルフィルタの説明図である。
【図８】同上の基準点候補点の投票結果の説明図である。
【図９】同上の拡大された画像が表示されたインターホン親機の平面図である。
【図１０】同上における映像処理部の動作説明用の図であって、（ａ）は顔検出用テンプレート画像のイメージ図、（ｂ）は顔検出用テンプレート画像の濃淡勾配方向画像のイメージ図、（ｃ）は検出対象の顔を撮像した撮像画像のイメージ図である。
【図１１】（ａ）は実施形態２、３に用いる顔検出手段の構成図、（ｂ）は同上の顔検出手段の顔サイズ検出における顔サイズと投票値との関係説明図である。
【図１２】（ａ）は実施形態４，５に用いる顔検出手段の構成図、（ｂ）は同上の検出対象の顔を撮像した撮像画像のイメージ図、（ｃ）は同上の顔回転検出における顔回転角と投票値との関係説明図である。
【図１３】従来例のシステム構成図である。
【符号の説明】
【００５０】
１  インターホン親機
２０  ドアホン子器
２４  カメラ部
２５  映像処理部
４０  カメラ子器
４４  カメラ部
４５  映像処理部
【図１】
2006157179.tif 000004
【図２】
2006157179.tif 000005
【図３】
2006157179.tif 000006
【図７】
2006157179.tif 000007
【図８】
2006157179.tif 000008
【図９】
2006157179.tif 000009
【図１１】
2006157179.tif 000010
【図１３】
2006157179.tif 000011
【図４】
2006157179.tif 000012
【図５】
2006157179.tif 000013
【図６】
2006157179.tif 000014
【図１０】
2006157179.tif 000015
【図１２】
2006157179.tif 000016